(57)【要約】【課題】  歯牙が喪失した治療部位にその部位の両側に位置する隣接歯を利用して歯科用補綴物を固定する際に用いられる歯科用ブリッジ補強材であって、操作性が高くブリッジを簡単に作製できると共に隣接歯の切削量が少なくより小さな窩洞に固定することができる歯科用ブリッジ補強材を提供する。【解決手段】  歯科用ブリッジ補強材を、一端に挿入口が他端に閉塞部1abが形成されたた扁平状を成し且つその幅が２〜６ｍｍである中空な摺動受部1aと摺動受部1aの閉塞部1abから突設されその幅が摺動受部1aの幅よりも狭く且つその長さが１〜５ｍｍである係止部1bとから成る雌型部材１と、一端が雌型部材１の挿入口1aaから摺動受部1a内に摺動自在な外形状に形成された扁平状を成す摺動部2aと摺動部2aの他端から突設されその幅が摺動部2aの幅よりも狭く且つその長さが１〜５ｍｍである係止部2bとから成る雄型部材２とで構成する。【選択図】        図１
2007068821.tif 000002
【特許請求の範囲】
【請求項１】
一端に挿入口(1aa)が他端に閉塞部(1ab)が形成された扁平状を成し且つその幅が２〜６ｍｍである中空な摺動受部(1a)と該摺動受部(1a)の閉塞部(1ab)から突設されその幅が該摺動受部(1a)の幅よりも狭く且つその長さが１〜５ｍｍである係止部(1b)とから成る雌型部材(１)と、一端が該雌型部材(１)の挿入口(1aa)から摺動受部(1a)内に摺動自在な外形状に形成された扁平状を成す摺動部(2a)と該摺動部(2a)の他端から突設されその幅が該摺動部(2a)の幅よりも狭く且つその長さが１〜５ｍｍである係止部(2b)とから成る雄型部材(２)とから構成されていることを特徴とする歯科用ブリッジ補強材。
【請求項２】
雄型部材(２)の摺動部(2a)が中実である請求項１に記載の歯科用ブリッジ補強材。
【請求項３】
雌型部材(１)の摺動受部(1a)及び雄型部材(２)の摺動部(2a)に、互いに係合する凸状のリブ(３)が長さ方向に形成されている請求項１又は２に記載の歯科用ブリッジ補強材。
【請求項４】
雌型部材(１)の摺動受部(1a)に穴(４)が貫通穿設されている請求項１から３までの何れか１項に記載の歯科用ブリッジ補強材。
【請求項５】
金属又は硬質プラスチックにより構成されている請求項１から４までの何れか１項に記載の歯科用ブリッジ補強材。
【発明の詳細な説明】
【技術分野】
【０００１】
本発明は、歯牙が喪失した治療部位にその部位の両側に位置する隣接歯を利用して歯科用補綴物としての歯科用ブリッジを固定する際に用いられる歯科用ブリッジ補強材に関するものである。
【背景技術】
【０００２】
一般に、歯根が存在しない状態に歯牙が喪失した症例において、その歯牙が喪失した治療部位の両側に健全な隣接歯が存在する場合には、ブリッジといわれる歯牙の形態を模した歯科用補綴物を口腔外で作製し、このブリッジを患者の隣接歯を利用して治療部位に固定する治療方法が行われている。このブリッジを固定する方法としては、通常は健全な隣接歯を切削して形成した支台歯にブリッジを接着固定する治療方法が広く行われており、このとき、天然歯に近似した審美性が要求される症例の場合には、レジン前装ブリッジや陶材焼付ブリッジやオールセラミックブリッジなどのブリッジが用いられている。
【０００３】
そして、この支台歯にブリッジを接着固定する方法では、これらのブリッジといわれる歯科用補綴物を製作する前に、先ず治療部位の両側に位置する健全な隣接歯を支台歯とするために、通常は術者がタービン等によって歯牙の自然な形状を成してる隣接歯を敢えて裁頭円錐形状に近似した形状に削り出す作業が必要である。
【０００４】
このように支台歯の形成を行った後は、患者の口腔内からこの支台歯を含む治療部位の印象（陰型）を採得し、更にこの印象から石膏模型（作業複製）を作製し、この石膏模型に基づいてブリッジが作製されており、具体的には例えばレジン前装ブリッジ，陶材焼付ブリッジの場合は、ロストワックス鋳造法により、先ず石膏模型上にワックスを用いてコア部の蝋型を作製し、この蝋型を耐火埋没材中に埋没させ、耐火埋没材が硬化した後に電気炉中に入れ加熱して蝋型を焼却させ、得られた鋳型に金属を鋳造し、この鋳造物を耐火埋没材から掘り出した後に切削・研磨して金属コア部を作製し、この金属コア部の外面に歯冠用硬質レジンを築盛・重合させるか又は陶材を築盛・焼成することによって作製されている。また、オールセラミックブリッジの場合は、耐火模型材を用いて複模型を作製し、この複模型上に陶材を築盛・焼成した後、耐火複模型を除去し、形態修正・研磨を行うことによって作製されている。
【０００５】
しかしながら、前記の支台歯にブリッジを接着固定する方法では、略裁頭円錐形状を成す支台歯を形成するために健全な隣接歯を大きく削る作業が必要があるから、健全な隣接歯を犠牲にしなければならないので患者の負担が大きいという問題があるばかりでなく、この支台歯を形成する作業自体も、術者が以後に作製する歯科用補綴物の形状や構造を考慮しながら慎重に狭い口腔内においてタービン等を操作して健全な隣接歯を略裁頭円錐形状に削ることにより行われるものであるから、非常に困難で且つかなりの熟練を要する作業であるという問題もあると共に、健全な隣接歯を略裁頭円錐形状に大きく削るというリスクが大きく失敗の許されない作業であるので、術者に非常に負担のかかるという問題もあった。
【０００６】
また、このブリッジの作製作業自体も、口腔内形状や作製部位が患者一人一人によって異なるばかりでなく、数μｍ単位の極めて高い寸法精度が要求される複雑な作業であるため多大な時間と熟練とが必要であった。即ち、最終的に患者の口腔内にブリッジが固定されるまでの治療期問が長いため、患者に対して費用及ぴ苦労を強いることになっていたのである。更に、ブリッジの作製作業を歯科医院等の治療を行う治療所とは別の歯科技工所等で行う間接法であるため、熟練者が作製したブリッジであっても完壁な精度のブリッジが得られることが少ないのが現状であった。また間接法であるため、作製したブリッジの色調が隣接歯と完全に合わない等の問題もあった。
【０００７】
そこで、健全な隣接歯を大きく削ったり歯科技工所により間接的にブリッジを作製したりすることなく、ブリッジの作製作業を歯科医院等の治療を行う治療所で行うことのできる、例えばレジン材料により構成され、歯頚部粘膜より口腔内側の歯に近似した形状を成しており、両側の隣接面に凹部が形成されているブリッジ用人工歯様補綴物（例えば、特許文献１参照。）や、隣接歯間のブリッジに対する支持構造体をなす棒状のガラス繊維から成る歯科用繊維強化複合材（例えば、特許文献２参照。）等が開発された。
【０００８】
しかしながら、前者のブリッジ用人工歯様補綴物では、健全な隣接歯を大きく切削して以後に作製される歯科用補綴物の形状や構造を考慮しながら慎重に支台歯に形成する必要が全くないと共に印象採得による石膏模型の作製や口腔外で間接的な歯科用補綴物を作製する必要もなく、歯科医院等の治療を行う治療所内のみで直接短時間でブリッジを作製することができるものの、このブリッジは隣接歯間に固定される際にレジン材料のみにより結合されるものであるので、その結合強度が不足してしまうという欠点があった。
【０００９】
一方、後者の歯科用繊維強化複合材は、具体的には例えば歯牙が喪失した治療部位の両側に位置する両隣接歯に、治療部位側（歯牙が喪失した部位側）に面するような窩洞をそれぞれ形成し、このガラス強化複合材を両隣接歯の窩洞間の距離よりも長めに切断してレジン等に浸してレジンコーティングさせた後に、中央部を歯肉方向に撓ませた状態でその両端を両隣接歯の窩洞間に設置し両窩洞内にレジン材料を流し込んでこの歯科用繊維強化複合材と共に重合硬化させて固定し、しかる後にこの固定されたガラス強化複合材上にレジン材料を歯牙の形状に築盛して硬化させることによってブリッジを作製するものである。
【００１０】
しかしながら、この歯科用繊維強化複合材では、健全な隣接歯を多少は切削することにはなるが略裁頭円錐形状を成す支台歯を形成するのと比較して大きく切削することがないと共に築盛したレジン材料を硬化させるまでは自由に形状を変形できるため多くの症例に適用可能であるものの、両隣接歯の窩洞間の距離よりも長めに切断したりレジン等に浸してレジンコーティングさせたり両隣接歯の窩洞間に歯肉方向に撓ませた状態で設置したりしなければならないので、その操作の手順が多く面倒で操作性が悪いという欠点があるばかりでなく、或る程度の強度を得るためにはより多くのガラス繊維を束ねたものを用いなければならず、歯科用繊維強化複合材を固定するにはこの歯科用繊維強化複合材が扁平状になるようにしてそれぞれの端部が両窩洞内に設置しなければならないので、窩洞内にこのように太く形成された歯科用繊維強化複合材を設置するスペースが多く必要になるため、比較的大きな窩洞を形成しなければならず、健全な隣接歯を必要以上に切削しなければならないという欠点もあった。
【００１１】
【特許文献１】特開２００４−３２９６５６号公報
【特許文献２】特開平１１−１１６４２２号公報（段落番号００１８、第１図）
【発明の開示】
【発明が解決しようとする課題】
【００１２】
本発明は、前記従来技術の欠点を解消し、歯牙が喪失した治療部位にその部位の両側に位置する隣接歯を利用して歯科用補綴物を固定する際に用いられる歯科用ブリッジ補強材であって、操作性が高くブリッジを簡単に作製できると共に隣接歯の切削量が少ない小さな窩洞に固定することができる歯科用ブリッジ補強材を提供することを課題とする。
【課題を解決するための手段】
【００１３】
本発明者らは前記課題を解決すべく鋭意研究の結果、歯科用ブリッジ補強材をその長手方向の長さを自由に且つ簡単に変えることができるような構成にすると共に、その両端部を幅が狭く且つ少ない切削量で形成する隣接歯の小さな窩洞に固定することができるように形成すれば、操作性が高くブリッジを簡単に作製できる歯科用ブリッジ補強材を得ることができることを究明して本発明を完成したのである。
【００１４】
即ち本発明は、一端に挿入口が他端に閉塞部が形成された扁平状を成し且つその幅が２〜６ｍｍである中空な摺動受部と該摺動受部の閉塞部から突設されその幅が該摺動受部の幅よりも狭く且つその長さが１〜５ｍｍである係止部とから成る雌型部材と、一端が該雌型部材の挿入口から摺動受部内に摺動自在な外形状に形成された扁平状を成す摺動部と該摺動部の他端から突設されその幅が該摺動部の幅よりも狭く且つその長さが１〜５ｍｍである係止部とから成る雄型部材とから構成されていることを特徴とする歯科用ブリッジ補強材である。
【００１５】
そして、雄型部材の摺動部が中実であったり、雌型部材の摺動受部及び雄型部材の摺動部に互いに係合する凸状のリブが長さ方向に形成されていたりすれば、その曲げ剛性を向上させることができて好ましいことも究明したのである。
【００１６】
また、雌型部材の摺動受部に穴が貫通穿設されていれば、雌型部材の摺動受部に雄型部材の摺動部を挿入する際にこの穴より摺動受部内の空気が放出されるから、摺動受部に摺動部を挿入し易くなるばかりでなくレジン材料を築盛して歯科用ブリッジを製造する際に築盛するレジン材料がこの穴から雌型部材の摺動受部内に入り込んで歯科用ブリッジ補強材の安定性と強度とを高めることができるので好ましく、また本発明に係る歯科用ブリッジ補強材が金属又は硬質プラスチックにより構成されていれば、全体の強度が増すので好ましいことも究明したのである。
【発明の効果】
【００１７】
本発明に係る歯科用ブリッジ補強材は、一端に挿入口が他端に閉塞部が形成された扁平状を成し且つその幅が２〜６ｍｍである中空な摺動受部を有する雌型部材と一端がこの雌型部材の挿入口から摺動受部内に摺動自在な外形状に形成された扁平状を成す摺動部を有する雄型部材とから成るものであり、その長手方向の長さを自由に且つ簡単に変えることができるような構成であるから、歯牙が喪失した治療部位の両側に位置する両隣接歯に形成されたそれぞれの窩洞間に本発明に係る歯科用ブリッジ補強材を設置する際には、雌型部材の摺動受部の挿入口に雄型部材の摺動部の一端が挿入された状態でこの雄型部材を摺動させる操作を行うことにより、本発明に係る歯科用ブリッジ補強材の長手方向の長さを両隣接歯の窩洞間の距離と一致させるように調整するだけで簡単に両隣接歯の窩洞間に設置することができると共に、本発明に係る歯科用ブリッジ補強材は、雌型部材の摺動受部の挿入口に雄型部材の摺動部の一端が挿入された状態で用いられるものであるから、従来の歯科用繊維強化複合材に比べてその剛性が高いので、従来の歯科用繊維強化複合材の如く両隣接歯の窩洞間の距離よりも長めに切断したり、レジン等に浸してレジンコーティングしたり、両隣接歯の窩洞間に歯肉方向に撓ませた状態で設置したりするような面倒な操作が一切不要であるので、その操作性や簡便性を格段に向上することができるばかりでなく、このような本発明に係る歯科用ブリッジ補強材を両隣接歯の窩洞間に固定した後にこの歯科用ブリッジ補強材にレジン材料等で歯牙の形状を築盛することによってブリッジを作製すると、従来のブリッジよりも格段にその剛性や耐久性を向上させることができるのである。
【００１８】
また、本発明に係る歯科用ブリッジ補強材は、前記の如き構成の雌型部材にはその摺動受部の閉塞部から突設されその幅が摺動受部の幅よりも狭く且つその長さが１〜５ｍｍである係止部が、そして前記の如き構成の雄型部材にはその摺動部の他端から突設されその幅が摺動部の幅よりも狭く且つその長さが１〜５ｍｍである係止部がそれぞれ設けられており、その両端部を幅が細く且つ少ない切削量で形成する隣接歯の小さな窩洞に固定することができるように形成されているから、所望の程度の強度を得るために多くのガラス繊維を束ねそのガラス繊維を扁平状になるように形成してそれぞれの端部をそのままの状態で両隣接歯の窩洞内に設置するものであるから比較的大きな窩洞を形成しなければない従来の歯科用繊維強化複合材と比較して、格段に小さい窩洞内に設置することができるので、隣接歯の切削量を非常に少なくすることができるばかりでなく、健全な隣接歯に大きな窩洞を形成することによる患者や術者の負担を軽減することができるのであり、また雌型部材の摺動受部が扁平状を成し且つその幅が２〜６ｍｍである中空な形状に形成されていると共に、この摺動受部の挿入口に挿入される雄型部材の摺動部が摺動受部に摺動自在な外形状に形成された扁平状を成すから、両隣接歯の窩洞間に設置固定された本発明に係る歯科用ブリッジ補強材に硬質レジンや光重合レジン等のレジン材料を歯牙の形状に築盛する際に、前歯や臼歯等の様々な大きさや形状の歯牙の築盛に適応できる好適な大きさとなっている。
【００１９】
そして、雄型部材の摺動部が中実を成すものであったり、雌型部材の摺動受部及び雄型部材の摺動部に互いに係合する凸状のリブが長さ方向に形成されていたりすれば、その曲げ剛性を向上させることができて好ましいばかりでなく、特に凸状のリブが形成されている態様では、その表面積をより大きくすることができるので、歯牙の形状を築盛する際にレジン材料等の材料と本発明に係る歯科用ブリッジ補強材との結合力を向上させることができて好ましい。
【００２０】
また、雌型部材の摺動受部に穴が貫通穿設されていれば、雌型部材の摺動受部に雄型部材の摺動部を挿入する際にこの穴より摺動受部内の空気が放出されるから、摺動受部に摺動部を挿入し易くなるので好ましいばかりでなく、歯牙の形状を築盛する際にレジン材料がこの穴より摺動受部内に流入することによりレジン材料と本発明に係る歯科用ブリッジ補強材との結合力を更に向上させることができて好ましく、また本発明に係る歯科用ブリッジ補強材が金属又は硬質プラスチックにより構成されていれば、全体の強度が増すので好ましい。
【発明を実施するための最良の形態】
【００２１】
以下、図面により本発明に係る歯科用ブリッジ補強材について詳細に説明する。
図１は本発明に係る歯科用ブリッジ補強材の１実施例を示す斜視説明図、図２は図１のＡ−Ａ線断面説明図、図３は本発明に係る歯科用ブリッジ補強材の他の実施例を示す平面説明図、図４は図３のＢ−Ｂ線断面説明図、図５は図３のＣ−Ｃ線断面説明図、図６は本発明に係る歯科用ブリッジ補強材の設置状態を示す平面説明図、図７は図６の正面説明図である。
【００２２】
図面中、１は一端に挿入口1aaが他端に閉塞部1abが形成された扁平状を成し且つその幅が２〜６ｍｍである中空な摺動受部1aとこの摺動受部1aの閉塞部1abから突設されその幅が摺動受部1aの幅よりも狭く且つその長さが１〜５ｍｍである係止部1bとから成る雌型部材であり、図１〜図５に示す如くその挿入口1aaから摺動受部1a内へ後述する雄型部材２の摺動部2aが摺動自在に挿入されるのである。
【００２３】
この雌型部材１の摺動受部1aとしては、一端に挿入口1aaが他端に閉塞部1abが形成され、その挿入口1aaから摺動受部1a内へ後述する雄型部材２の摺動部2aが摺動自在に挿入できるように中空な扁平状を成しており且つその幅が２〜６ｍｍであるものであれば何でもよく、例えば図１及び図２に示す如くその断面が長方形状を成していたり、図３〜図５に示す如くその断面が略楕円状を成していたりしてもよいが、歯牙が喪失した治療部位の両側に位置する両隣接歯に形成されたそれぞれの窩洞間に設置固定される本発明に係る歯科用ブリッジ補強材にレジン材料を歯牙に形状を築盛し易いように、少なくとも扁平状を成している必要があると共に、両隣接歯の窩洞間に設置固定された本発明に係る歯科用ブリッジ補強材に硬質レジンや光重合レジン等のレジン材料で歯牙の形状を築盛する際に、前歯や臼歯等の様々な大きさや形状の歯牙の築盛に適応できる好適な大きさとなるように、その幅が２〜６ｍｍである必要がある。即ち、雌型部材１の摺動受部1aの幅が２ｍｍ未満である場合には、その幅が狭すぎて歯牙の形状に築盛することができないばかりか、その曲げ剛性も低下してしまうので好ましくなく、一方雌型部材１の摺動受部1aの幅が６ｍｍを超えると、その幅が広すぎて歯牙の形状に築盛するのが困難になるので好ましくないのである。
【００２４】
また、雌型部材１の摺動受部1a及び雄型部材２の摺動部2aに、例えば図３〜図５に示す如く互いに係合する凸状のリブ３が長さ方向に形成されていれば、その曲げ剛性を向上させることができて好ましいばかりでなく、その表面積をより大きくすることができるので、歯牙の形状を築盛する際にレジン材料と本発明に係る歯科用ブリッジ補強材との結合力を向上させることができて好ましい。
【００２５】
更に、雌型部材１の摺動受部1aに、例えば図３及び図４に示す如く穴４が貫通穿設されていれば、雌型部材１の摺動受部1aに後述する雄型部材２の摺動部2aを挿入する際にこの穴４より摺動受部1a内の空気が放出されるから、摺動受部1aに摺動部2aを挿入し易くなるので好ましいばかりでなく、歯牙の形状に築盛する際にレジン材料がこの穴４より摺動受部1a内に流入することによりレジン材料と本発明に係る歯科用ブリッジ補強材との結合力を更に向上させることができて好ましい。
【００２６】
この雌型部材１の摺動受部1aに貫通穿設されている穴４としては、摺動受部1a内と外方とを貫通穿設するものであれば何れの位置にあってもよいが、図３及び図４に示す如く摺動受部1aの閉塞部1ab近傍に位置するものであれば、雌型部材１の摺動受部1aに後述する雄型部材２の摺動部2aを挿入し閉塞部1ab近傍の方まで摺動させたとしても、円滑に摺動受部1a内の空気を放出させることができるので好ましく、またこの穴４としては、図３及び図４に示すように１つであっても、図示しないが複数あってもよいが、雌型部材１の摺動受部1a自体の強度が保たれる範囲内であることが望ましい。
【００２７】
この雌型部材１の摺動受部1aには、その幅が摺動受部1aの幅よりも狭く且つその長さが１〜５ｍｍである係止部1bが摺動受部1aの閉塞部1abから突設されている共に、後述する雄型部材２の摺動部2aにも、この摺動部2aの幅よりも狭く且つその長さが１〜５ｍｍである係止部2bが摺動部2aの他端から突設されており、図６及び図７に示す如くこれらの係止部1b，2bは、歯牙が喪失した治療部位の両側に位置する両隣接歯に形成されたそれぞれの窩洞内に設置固定される役目を果たす。
【００２８】
このようにこの雌型部材１の係止部1bが、その幅が摺動受部1aの幅よりも狭く且つその長さが１〜５ｍｍであり、且つ後述する雄型部材２の係止部2bが、その摺動部2aの幅よりも狭く且つその長さが１〜５ｍｍであるから、従来の歯科用繊維強化複合材と比較して、格段に小さい窩洞内に設置することができるので、隣接歯に窩洞を形成するための切削量を非常に少なくすることができるばかりでなく、健全な隣接歯に大きな窩洞を形成することによる患者や術者の負担を軽減することができる。
【００２９】
即ち、これらの係止部1b，2bの幅が、雌型部材１の摺動受部1aや後述する雄型部材２の摺動部2aの幅よりも狭くなるように形成されているのは、それぞれ扁平状を成す摺動受部1aや摺動部2aの幅を或る程度確保することによりレジン材料を歯牙の形状に築盛し易いようにすると共に、これらの係止部1b，2bを設置固定するためのスペースをなるべく小さくすることにより隣接歯に窩洞を形成するための切削量を大幅に削減するためであり、そしてこれらの係止部1b，2bの長さが１〜５ｍｍとなるように形成されているのは、その長さが１ｍｍ未満である場合には、本発明に係る歯科用ブリッジ補強材を両隣接歯の窩洞間に安定して設置固定することができず、また５ｍｍを超える場合には、隣接歯の切削量が多くなってしまうからである。
【００３０】
これらの係止部1b，2bとしては、少なくともその幅が雌型部材１の摺動受部1aや後述する雄型部材２の摺動部2aの幅よりも狭く且つその長さが１〜５ｍｍであるものであれば特に限定されないが、例えば図１及び図２に示す如く雌型部材１の摺動受部1aの閉塞部1abや後述する雄型部材２の摺動部2aの他端からそれぞれ突設されその先端側が丸みの帯びた角柱状を成すようなものであっても、例えば図３及び図４に示す如く摺動受部1aの閉塞部1abや摺動部2aの他端から連続して形成されているような断面が楕円状を成し且つ先細り状に形成されているようなものであってもよい。
【００３１】
２は一端が雌型部材１の挿入口1aaから摺動受部1a内に摺動自在な外形状に形成された扁平状を成す摺動部2aとこの摺動部2aの他端から突設されその幅が摺動部2aの幅よりも狭く且つその長さが１〜５ｍｍである係止部2bとから成る雄型部材であり、図１〜図５に示す如く雌型部材１の摺動受部1aの挿入口1aaへ摺動自在に挿入されるものである。
【００３２】
この雄型部材２の摺動部2aとしては、例えば図１及び図２に示す如く雌型部材１の摺動受部1aがその断面が長方形状をなす場合には、このような摺動受部1a内に摺動自在な断面が長方形状を成すように形成されていればよく、また図３〜図５に示す如く雌型部材１の摺動受部1aがその断面が略楕円状で且つ凸状のリブ３が長さ方向に形成されている場合には、このような摺動受部1a内に摺動自在な断面が略楕円状で且つ凸状のリブ３が長さ方向に形成されていればよい。
【００３３】
またこの雄型部材２の摺動部2aとしては、図示しないが中空であってもよいが、図２，図４及び図５に示す如くこの雄型部材２の摺動部2aが中実であれば、その曲げ剛性を向上させることができて好ましく、また図３〜図５に示す如く雌型部材１の摺動受部1a及び雄型部材２の摺動部2aに互いに係合する凸状３のリブが長さ方向に形成されていれば、更にその曲げ剛性を向上させることができて好ましいばかりでなく、その表面積をより大きくすることができるので、歯牙の形状に築盛する際にレジン材料と本発明に係る歯科用ブリッジ補強材との結合力を向上させることができて好ましい。
【００３４】
この雄型部材２の摺動部2aの他端には、図１〜図４に示す如く摺動部2aの幅よりも狭く且つその長さが１〜５ｍｍである係止部2bが突設されており、この係止部2bは、前記した雌型部材１の摺動受部1aの閉塞部1abから突設されている係止部1bと協働して歯牙が喪失した治療部位の両側に位置する両隣接歯に形成されたそれぞれの窩洞内に設置固定される役目を果たす。
【００３５】
そして、本発明に係る歯科用ブリッジ補強材を構成する前記した雌型部材１及び雄型部材２としては、少なくともそれらの形状を維持することができる材料より構成されているものであれば特に限定されないが、これらが金属又は硬質プラスチックにより構成されていれば、本発明に係る歯科用ブリッジ補強材の全体の強度が増すので好ましい。
【００３６】
次に、このような構成の本発明に係る歯科用ブリッジ補強材の使用方法について説明する。
初めに準備として、先ず歯牙が喪失した治療部位に適した形状の本発明に係る歯科用ブリッジ補強材を用意する。これは、例えば歯牙が喪失した治療部位が臼歯である場合には比較的幅が広い本発明に係る歯科用ブリッジ補強材を選択し、また歯牙が喪失した治療部位が前歯である場合には比較的幅が狭い本発明に係る歯科用ブリッジ補強材を選択する。
【００３７】
次に、選択された本発明に係る歯科用ブリッジ補強材がその雌型部材１と雄型部材２とが別々となっている状態である場合には、その雌型部材１の摺動受部1aの挿入口1aaに雄型部材２の摺動部2aの一端が挿入する操作を行うことにより、図１〜図５に示す如く本発明に係る歯科用ブリッジ補強材がその雌型部材１に雄型部材２が挿入された状態となるように準備しておく。
【００３８】
このような準備が完了した後に、先ず患者の歯牙が喪失した治療部位の両側に位置する両隣接歯に、用意された本発明に係る歯科用ブリッジ補強材のそれぞれの係止部1b，2bを設置固定するための一対の窩洞を形成する治療を行う。
【００３９】
この治療は、具体的には図６及び図７に示す如くタービン等で患者の歯牙が喪失した治療部位の両隣接歯に、治療部位側（歯牙が喪失した部位側）に面し且つ用意された本発明に係る歯科用ブリッジ補強材のそれぞれの係止部1b，2bを設置可能な程度の大きさの窩洞をそれぞれ形成することによって行われる。
【００４０】
この際、本発明に係る歯科用ブリッジ補強材の雌型部材１の係止部1bは、摺動受部1aの閉塞部1abから突設されその幅が摺動受部1aの幅よりも狭く且つその長さが１〜５ｍｍであると共に、雄型部材２の係止部2bは、摺動部2aの他端から突設されその幅が摺動部2aの幅よりも狭く且つその長さが１〜５ｍｍであるから、従来の歯科用繊維強化複合材を使用する場合と比較して、格段に小さい窩洞内に設置することができるので、隣接歯に窩洞を形成するための切削量を非常に少なくすることができるばかりでなく、健全な隣接歯に大きな窩洞を形成することによる患者や術者の負担を軽減することができる。
【００４１】
次に、用意された本発明に係る歯科用ブリッジ補強材の長手方向の長さを前記操作により形成された両隣接歯の窩洞間の距離と一致させるように調整する操作を行う。
この操作は、具体的には図１〜図５に示す如く本発明に係る歯科用ブリッジ補強材が予めその雌型部材１の摺動受部1aの挿入口1aaに雄型部材２の摺動部2aの一端が挿入された状態において、雄型部材２の摺動部2aの他端を雌型部材１の摺動受部1aの挿入口1aaの方向へ押し込んで摺動させるか、又は雄型部材２の摺動部2aの他端を雌型部材１の摺動受部1aの挿入口1aaから離反する方向へと引張って摺動させることにより、図６及び図７に示す如く本発明に係る歯科用ブリッジ補強材のそれぞれの係止部1b，2bがそれぞれの隣接歯の窩洞内に設置できるような位置となるように、本発明に係る歯科用ブリッジ補強材の長手方向の長さを調整することによって行われる。
【００４２】
この際、本発明に係る歯科用ブリッジ補強材が図３及び図４に示す如く雌型部材１の摺動受部1aに穴４が貫通穿設されていれば、雌型部材１の摺動受部1aに雄型部材２の摺動部2aを挿入する際や、雌型部材１の摺動受部1a内で雄型部材２の摺動部2aを摺動させる際に、この穴４より摺動受部1a内の空気が放出されるから、摺動受部1aに摺動部2aを挿入したり摺動受部1a内で摺動部2aを摺動させたりし易くなるので好ましい。
【００４３】
次いで、前記操作によりその長手方向の長さを調整された本発明に係る歯科用ブリッジ補強材を歯牙が喪失した治療部位の両隣接歯の窩洞間に設置固定する操作を行う。
この操作は、先ずそれぞれの窩洞内の底部に少量の硬質レジンや光重合硬質レジン等のレジン材料を充填した後に、その長手方向の長さを調整された本発明に係る歯科用ブリッジ補強材のそれぞれの係止部1b，2bをそれぞれの窩洞内の底部に充填されたレジン材料内に埋入させるように本発明に係る歯科用ブリッジ補強材を設置し、しかる後にレジン材料に光照射を行ったり暫く放置することによりレジン材料を硬化せしめることによって、本発明に係る歯科用ブリッジ補強材を歯牙が喪失した治療部位の両隣接歯の窩洞間に固定する。
【００４４】
この際、本発明に係る歯科用ブリッジ補強材は、その雌型部材１の摺動受部1aに雄型部材２の摺動部2aが摺動自在に挿入されている構成となっているから、その長手方向の長さを自由に且つ簡単に変えることができると共に、雌型部材１の摺動受部1aの挿入口1aaに雄型部材２の摺動部2aの一端が挿入された状態で歯牙が喪失した治療部位の両隣接歯の窩洞間に設置固定されるものであるから、従来の歯科用繊維強化複合材の如く両隣接歯の窩洞間の距離よりも長めに切断したり、レジン等に浸してレジンコーティングしたり、両隣接歯の窩洞間に歯肉方向に撓ませた状態で設置したりするような面倒な操作が一切不要であるので、その操作性や簡便性を格段に向上することができるばかりでなく、その剛性や耐久性を格段に向上させることができる。
【００４５】
かくして本発明に係る歯科用ブリッジ補強材を歯牙が喪失した治療部位の両隣接歯の窩洞間に設置固定した後に、最後にこの歯科用ブリッジ補強材に硬質レジンや光重合硬質レジン等のレジン材料を歯牙の形状に築盛し、硬質レジンの場合は自動的に、また光重合硬質レジンの場合は活性光を照射して、レジン材料を硬化させすることによってブリッジを作製すればよい。また、本発明に係る歯科用ブリッジ補強材は、上述した如く従来の歯科用繊維強化複合材を使用する場合と比較して、格段に小さい窩洞内に設置することができるので、隣接歯に窩洞を形成するための切削量を非常に少なくすることができるばかりでなく、健全な隣接歯に大きな窩洞を形成することによる患者や術者の負担を軽減することができるのであるが、従来の略裁頭円錐形状を成す支台歯間にレジン材料で歯牙の形状に築盛しブリッジを作製する際にも、本発明に係る歯科用ブリッジ補強材は使用することができる。
【図面の簡単な説明】
【００４６】
【図１】本発明に係る歯科用ブリッジ補強材の１実施例を示す斜視説明図である。
【図２】図１のＡ−Ａ線断面説明図である。
【図３】本発明に係る歯科用ブリッジ補強材の他の実施例を示す平面説明図である。
【図４】図３のＢ−Ｂ線断面説明図である。
【図５】図３のＣ−Ｃ線断面説明図である。
【図６】本発明に係る歯科用ブリッジ補強材の設置状態を示す平面説明図である。
【図７】図６の正面説明図である。
【符号の説明】
【００４７】
１  雌型部材
1a  摺動受部
1aa  挿入口
1ab  閉塞部
1b  係止部
２  雄型部材
2a  摺動部
2b  係止部
３  凸状のリブ
４  穴
【図１】
2007068821.tif 000003
【図２】
2007068821.tif 000004
【図３】
2007068821.tif 000005
【図４】
2007068821.tif 000006
【図５】
2007068821.tif 000007
【図６】
2007068821.tif 000008
【図７】
2007068821.tif 000009